(57)【要約】【課題】従来の電池パックでは、出力端子が一箇所に固定されていたため、接続端子の位置が異なる電子機器毎に、接続端子の位置に対応した出力端子を有する電池パックを別個に用意しなければならず、不経済であった。【解決手段】バッテリーセルが内蔵された略直方体をなすバッテリー筐体２と、バッテリーセルの電力を出力し且つ一部が露出された出力端子４を有すると共にバッテリー筐体２の一面において摺動可能に支持されるスライド部材３と、を備えた。【選択図】図１
2008300334.tif 000002
【特許請求の範囲】
【請求項１】
バッテリーセルが内蔵された略直方体をなすバッテリー筐体と、
前記バッテリーセルの電力を出力し且つ一部が露出された出力端子を有すると共に前記バッテリー筐体の一面において摺動可能に支持されるスライド部材と、
を備えた
ことを特徴とする電池パック。
【請求項２】
前記バッテリー筐体の前記一面に、前記スライド部材の摺動方向に連続し、且つ当該スライド部材をガイドする溝部を設け、
前記スライド部材は、前記溝部に係合されて摺動可能に支持される係合片を設けた
ことを特徴とする請求項１に記載の電池パック。
【請求項３】
前記バッテリー筐体の前記一面において前記スライド部材の摺動方向に連続し、且つ前記バッテリーセルの電力を前記出力端子に供給する筐体側端子部を設け、
前記スライド部材における前記バッテリー筐体と対向する面に、前記筐体側端子部に接触し且つ前記出力端子と電気的に接続される接続部を設けた
ことを特徴とする請求項１に記載の電池パック。
【請求項４】
前記接続部は、弾性を有して前記スライド部材と前記バッテリー筐体の間に介在される
ことを特徴とする請求項３に記載の電池パック。
【請求項５】
前記バッテリー筐体には、凸部又は凹部を前記スライド部材の摺動方向に沿って配置した複数の係合受部を設け、
前記スライド部材には、前記複数の係合受部に係合離脱可能な窪み又は突起からなる係合部を設け、
前記係合部を前記複数の係合受部のうち所定の係合受部に係合することにより前記スライド部材を所定の位置で前記バッテリー筐体に固定する
ことを特徴とする請求項１に記載の電池パック。
【発明の詳細な説明】
【技術分野】
【０００１】
本発明は、電子機器の携帯用電源として着脱可能に装着されて使用される電池パックに関し、特に、バッテリーセルの電力を出力する出力端子に関するものである。
【背景技術】
【０００２】
従来のこの種の電池パックとして、例えば、特許文献１に記載されているようなものがある。特許文献１には、外装材に電池素子を収納した電池パックに関するものが記載されている。この特許文献１に記載された電池パックは、「両端に開口を有する硬質の外装材内に角形または扁平型の電池素子が収納され、少なくとも電極端子リードが導出される一方の開口に対して樹脂成型で製造されたカバーが嵌合され、上記一方の開口に嵌合される上記カバー内に上記電池素子の電極端子リードと接合される回路基板が収納される角形または扁平型の電池パックにおいて、上記カバーは、一方の長辺の両側に凹部を有し、上記外装材は、上記カバーの凹部を少なくとも露出させるための切り欠き部を有し、少なくとも上記カバーの長辺側側面と上記外装材とを熱溶着している」ことを特徴としている。
【０００３】
このような構成を有する電池パックによれば、「正負極の逆装填防止構造を取りながらも、体積効率の優れた電池パックを提供することができる」という効果が期待される。
【特許文献１】特開２００６−２０２６５５号公報
【発明の開示】
【発明が解決しようとする課題】
【０００４】
しかしながら、従来の電池パックは、バッテリーセルの電力を出力する出力端子が一箇所に固定されていた。更に、この電池パックが携帯用電源として着脱可能に装着される電子機器は、接続端子の位置が装置毎に異なっていた。例えば、電子機器の一例として携帯電話端末の場合には、カメラ部の位置や配線基板、デザイン等の制約により、接続端子の位置が携帯電話端末毎で異なっていた。そのため、接続端子の位置が異なる複数の電子機器毎に、接続端子の位置に対応した出力端子を有する電池パックを別個に用意しなければならず、不経済であるという問題があった。
【０００５】
本発明の目的は、上述の問題点を考慮し、接続端子の位置が異なる複数の電子機器毎に電池パックを別個に用意する必要がなく、共通化を図ることができ、汎用性を向上させることができる電池パックを提供することにある。
【課題を解決するための手段】
【０００６】
本発明の電池パックは、バッテリーセルが内蔵された略直方体をなすバッテリー筐体と、バッテリーセルの電力を出力し且つ一部が露出された出力端子を有すると共にバッテリー筐体の一面において摺動可能に支持されるスライド部材と、を備えたことを最も主要な特徴とする。
【発明の効果】
【０００７】
本発明の電池パックによれば、接続端子の位置が異なる複数の電子機器毎に電池パックを別個に用意する必要がなく、電池パックの共通化を図ることができ、汎用性を向上させることができる。
【発明を実施するための最良の形態】
【０００８】
以下、本発明の電池パックを実施するための最良の形態について、図面を参照して説明するが、本発明は以下の形態に限定されるものではない。
【０００９】
図１〜図８は本発明の実施の形態の例を示すものである。即ち、図１〜図４は本発明の電池パックの第１の実施の形態を示すものであり、図１は斜視図、図２Ａはスライド部材を正面側から見た斜視図、図２Ｂは背面側から見た斜視図、図３は上面図、図４は断面図である。図５及び図６は本発明の電池パックが装着される電子機器に係る携帯電話端末の一例を示すものであり、図５は正面側から見た斜視図、図６はバッテリーカバーを外して背面側から見た斜視図である。図７は本発明の電池パックが装着される電子機器における携帯電話端末の他の例を示す斜視図である。図８は本発明の電池パックの第２の実施の形態を示す斜視図、図９は本発明の電池パックの第３の実施の形態を示す斜視図である。
【００１０】
図１に示すように、本発明の第１の実施の形態を示す電池パック１は、図示しないバッテリーセル及び制御回路基板と、このバッテリーセル及び制御回路基板が内蔵されたバッテリー筐体２と、このバッテリー筐体２に摺動可能に支持されるスライド部材３等を有している。本実施の形態で示す電池パックは、リチウムイオン二次電池である。
【００１１】
バッテリー筐体２は、中空の薄い直方体状をなしている。バッテリー筐体２は、四角形をなす上面部２ａと、この上面部２ａの４つの辺からそれぞれ略垂直をなして連続する４つの側面部２ｂと、上面部２ａと対向する底面部２ｃを有している。４つの側面部２ｂのうちの１つの面には、凹陥部６が設けられている。この凹陥部６は、長方形状に開口している。図４に示すように、凹陥部６の正面部２ａ側の側壁には、第１の溝部７ａが設けられている。同様に、凹陥部６の底面部２ｃ側の側壁には、第２の溝部７ｂが設けられている。第１の溝部７ａ及び第２の溝部７ｂは、それぞれ凹陥部６の長手方向に連続して形成されており、スライド部材３を凹陥部６の長手方向に沿ってガイドするように構成されている。
【００１２】
更に、凹陥部６の開口部と反対側の面である底面には、長手方向に沿って連続する３つの筐体側端子８ａ，８ｂ，８ｃが設けられている。３つの筐体側端子８ａ，８ｂ，８ｃは、凹陥部６の底面の長手方向と直交する短手方向に略等間隔に配置されている。バッテリー筐体２の正面部２ａ側には、第１の筐体側端子８ａが配置されており、底面部２ｃ側には、第２の筐体側端子８ｂが配置されている。この第１の筐体側端子８ａと第２の筐体側端子８ｂの間には、第３の筐体側端子８ｃが配置されている。
【００１３】
そして、このバッテリー筐体２の内部にバッテリーセル及び制御回路基板等が収納されている。バッテリーセルと制御回路基板は、互いに電気的に接続されている。バッテリーセルは、第１の筐体側端子８ａと第２の筐体側端子８ｂに電気的に接続されている。制御回路基板は、ヒューズ、サーミスタ等の温度保護素子、バッテリーセルの監視と制御を行うＩＣを含む保護回路等がマウントされている。この制御回路基板内の温度検出信号の出力部が、第３の筐体側端子８ｃに電気的に接続されている。
【００１４】
図２Ａ及び図２Ｂに示すように、スライド部材３は、扁平の直方体状をなしている。スライド部材３は、長方形状の正面部３ａと、この正面部３ａと対向する背面部３ｂと、正面部３ａの長手方向の一側から略垂直をなして連続する左側面部３ｃと、正面部３ａの長手方向の他側から略垂直をなして連続する右側面部３ｄと、正面部３ａの短手方向の一側から略垂直をなして連続する上面部３ｅと、正面部３ａの短手方向の他側から略垂直をなして連続する下面部３ｆを有している。
【００１５】
正面部３ａは、短手方向の長さが凹陥部６の短手方向の長さと略等しく、或いは、やや短く設定されている。この正面部３ａには、３つの出力端子４ａ，４ｂ，４ｃが一部を露出して設けられている。３つの出力端子４ａ，４ｂ，４ｃは、それぞれ略同じ形状をなしており、例えば長方形状をなしている。この３つの出力端子４ａ〜４ｃは、正面部３ａの長手方向に略等間隔に配置されている。第１の出力端子４ａは、右側面部３ｄ側に位置しており、第２の出力端子４ｂは、左側面部３ｃ側に位置している。そして、第３の出力端子４ｃは、第１の出力端子４ａと第２の出力端子４ｂの間に位置している。
【００１６】
図２Ｂに示すように、スライド部材３の背面部３ｂには、３つの接続部１１ａ，１１ｂ，１１ｃが設けられている。３つの接続部１１ａ〜１１ｃは、それぞれ舌片状をなしており、弾性を有している。第１の接続部１１ａは、第１の出力端子４ａの背面側で、且つバッテリー筐体２の第１の筐体側端子８ａの位置（高さ）と対応した箇所に配置されている。同様に、第２の接続部１１ｂは、第２の出力端子４ｂの背面側で、且つバッテリー筐体２の第２の筐体側端子８ｂの位置（高さ）と対応した箇所に配置されている。更に、第３の接続部１１ｃは、第３の出力端子４ｃの背面側で、且つバッテリー筐体２の第３の筐体側端子８ｃの位置（高さ）と対応した箇所に配置されている。
【００１７】
そして、図３に示すように、第１の接続部１１ａは、第１の出力端子４ａと配線１２を介して電気的に接続されている。第２の接続部１１ｂは、第２の出力端子４ｂと配線１２を介して電気的に接続されている。更に、第３の接続部１１ｃは、第３の出力端子４ｃと配線１２を介して電気的に接続されている。
【００１８】
上面部３ｅには、第１の係合片９ａがスライド部材３の上方に向けて突出して設けられている。第１の係合片９ａは、上面部３ｅの背面部３ｂ側に配置されている。この第１の係合片９ａは、上面部３ｅの長手方向に沿って連続して形成されている。また、下面部３ｆには、第２の係合片９ｂがスライド部材３の下方に向けて突出して設けられている。第２の係合片９ｂは、下面部３ｆの背面部３ｂ側に配置されている。この第２の係合片９ｂは、下面部３ｆの長手方向に沿って連続して形成されている。
【００１９】
図４等に示すように、第１の係合片９ａは、バッテリー筐体２の第１の溝部７ａに係合されて摺動可能に支持されている。同様に、第２の係合片９ｂは、バッテリー筐体２の第２の溝部７ｂに係合されて摺動可能に支持されている。このため、スライド部材３を、溝部７ａ，７ｂに沿って所定の位置に移動することができる。
【００２０】
このとき、スライド部材３の背面部３ｂが凹陥部６の底面に対向される。そして、３つの接続部１１ａ〜１１ｃは、スライド部材３の背面部３ｂと、バッテリー筐体２における凹陥部６の底面との間に介在されている。ここで、第１の接続部１１ａは、第１の筐体側端子８ａの位置（高さ）に対応して配置している。同様に、第２の接続部１１ｂは、第２の筐体側端子８ｂの位置（高さ）に対応して配置している。更に、第３の接続部１１ｃは、第３の筐体側端子８ｃの位置（高さ）に対応している。そのため、スライド部材３の第１の接続部１１ａが、バッテリー筐体２の第１の筐体側端子８ａに接触する。同様に、第２の接続部１１ｂが、バッテリー筐体２の第２の筐体側端子８ｂに接触する。更に、第３の接続部１１ｃが、バッテリー筐体２の第３の筐体側端子８ｃに接触する。
【００２１】
その結果、第１の筐体側端子８ａが、第１の出力端子４ａと電気的に接続される。同様に、第２の筐体側端子８ｂが、第２の出力端子４ｂと電気的に接続される。更に、第３の筐体側端子８ｃが、第３の出力端子４ｃと電気的に接続される。これにより、第１の出力端子４ａ及び第２の出力端子４ｂが、バッテリーセルの電力を出力可能に構成される。そして、第３の出力端子４ｃが、外部の電子機器との間で、バッテリー容量や特性等の情報をデータ通信可能に構成される。
【００２２】
ここで、この３つの接続部１１ａ〜１１ｃは、スライド部材３の背面部３ｂと、バッテリー筐体２における凹陥部６の底面の間に付勢された状態で介在されている。この３つの接続部１１ａ〜１１ｃの付勢力により、３つの接続部１１ａ〜１１ｃと３つの筐体側端子８ａ〜８ｃとを確実に接触させることができる。これにより、３つの接続部１１ａ〜１１ｃと３つの筐体側端子８ａ〜８ｃとの接触不良等の不具合を防止することができる。更に、３つの接続部１１ａ〜１１ｃの付勢力により、第１の係合片９ａが溝部７ａの側壁に付勢されると共に第２の係合片９ｂが溝部７ｂの側壁に付勢される。これにより、溝部７ａ，７ｂと係合部９ａ，９ｂのガタツキを防止又は抑制し、スライド部材３をスムーズに移動させることができる。
【００２３】
なお、本実施の形態では、出力端子及び筐体側端子の数を３つ設けた例を説明したが、出力端子及び筐体側端子の数は、これに限定されるものではない。例えば、出力端子の数を２つ以下或いは４つ以上を設けてもよく、この場合、筐体側端子の数を出力端子の数に対応させて設けることが好ましい。
【００２４】
また、この実施の形態では、バッテリー筐体の凹陥部に溝部を設け、スライド部材にこの溝部に係合されて摺動可能に支持される係合片を設けて、スライド部材をバッテリー筐体に対して摺動可能に構成した例を説明したが、これに限定されるものではない。例えば、前記実施の形態とは逆に、凹陥部に長手方向に連続した係合片を設け、この係合片が係合されて摺動可能に支持される溝部をスライド部材に設けて、スライド部材を係合片に沿って摺動可能に構成してもよい。
【００２５】
図５及び図６は、前述した電池パック１を携帯用電源として用いて好適な電子機器の一例としての第１の携帯電話端を示すものである。図５は、第１の携帯電話端末１０１を開いた状態を示している。図６は、第１の携帯電話端末１０１を閉じて背面側から見た状態を示している。この第１の携帯電話端末１０１は、連結部を介して２つの筐体を折りたたみ可能に構成した、いわゆる折りたたみ式携帯電話端末である。図５に示すように、第１の携帯電話端末１０１は、第１筐体１０２と、第２筐体１０３と、第１筐体１０２と第２筐体１０３を回動可能に連結するヒンジ部１０４等を備えて構成されている。
【００２６】
第１筐体１０２は、扁平の直方体状に形成されている。この第１筐体１０２の第２筐体１０３と重ね合わされる面である内面１０２ａには、表示画面の一具体例を示す液晶ディスプレイ１１１と、スピーカ１１２と、サブカメラ部１１３が設けられている。液晶ディスプレイ１１１は、内面１０２ａを大きく占有するように大型に形成されている。この液晶ディスプレイ１１１のヒンジ部１０４と反対側にスピーカ１１２が配置され、スピーカ１１２の近傍にサブカメラ部１１３が配置されている。
【００２７】
第２筐体１０３は、第１筐体１０２と同様に、扁平の直方体状に形成されている。この第２筐体１０３の第１筐体１０２と重ね合わされる面である内面１０３ａには、複数の操作キー１１５と、４つの機能切替キー１１６と、ジョグシャトル操作部１１７等が設けられている。複数の操作キー１１５は、内面１０３ａの略中央部に配置されており、これら複数の操作キー１１６のヒンジ部１０４側にジョグシャトル操作部１１７が配置されている。また、４つの機能切替キー１１６は、ジョグシャトル操作部１１７を挟んで両側にそれぞれ２つずつ配置されている。
【００２８】
複数の操作キー１１５としては、例えば、１，２，３…９，０の数字や記号に対応したダイヤルキー、発信キー、終了キーを挙げることができる。また、４つの機能切替キー１１６としては、例えば、第１の携帯電話端末１０１の機能をメール機能に切り替えるメールキーや、カメラ機能に切り替えるカメラキー等を挙げることができる。ジョグシャトル操作部１１７は、液晶ディスプレイ１１１に表示されたメニューを選択する選択ボタンや、第１の携帯電話端末１０１の機能をカメラ機能にした際のシャッタボタン等の役割を有している。
【００２９】
また、第２筐体１０３の内面１０３ａには、音波が通過する貫通孔１１９が設けられている。この貫通孔１１９は、内面１０３ａにおいて、ヒンジ部１０４と反対側の端部に配置されている。
【００３０】
更に、この第１の携帯電話端末１０１は、図６に示すように、第２の筐体１０３の背面１０３ｂには、図示しないバッテリーカバーと、メインカメラ部１２１と、フラッシュ部１２２と、２つのスピーカ１２３と、バッテリー収納部１２４等が設けられている。メインカメラ部１２１は、背面１０３ｂの中央からヒンジ部１０４側よりに配置されている。このメインカメラ部１２１を挟むように、２つのスピーカ１２３が配置されている。さらに、メインカメラ部１２１の近傍には、フラッシュ部１２２が配置されている。
【００３１】
バッテリー収納部１２４は、背面１０３ｂの中央からヒンジ部１０４と離れる方向に配置され、第１の携帯電話端末１０１の使用時ではバッテリーカバーに覆われている。バッテリー収納部１２４は、電池パック１と略等しい大きさの凹部１２５を有している。凹部１２５は、電池パック１の形状に対応する形状に設定されている。凹部１２５は、四角形状の底面部１２５ａと、この底面部１２５ａのヒンジ部１０４側の一側から略垂直をなして連続した上面部１２５ｂと、底面部１２５ａのヒンジ部１０４と反対側の他側から略垂直をなして連続した下面部１２５ｃと、底面部１２５ａの左側から略垂直をなして連続した左側面部１２５ｄと、底面部１２５ａの右側から略垂直をなして連続した右側面部１２５ｅから構成されている。
【００３２】
凹部１２５の底面部１２５ａの大きさは、電池パック１の正面部２ａの大きさと略等しく、或いは、やや大きく設定されている。上面部１２５ｂの左側面部１２５ｄ側には、３つの接続端子１２６が配置されている。接続端子１２６は、電池パック１がバッテリー収納部１２４に装着された際に、電池パック１の３つの出力端子４ａ〜４ｃと接触し電気的に接続される。
【００３３】
このような構成を有する第１の携帯電話端末１０１に、電池パック１を装着する際には、電池パック１の出力端子４ａ〜４ｃを、第１の携帯電話端末１０１の接続端子１２６に対応する位置に移動させる。即ち、スライド部材３を凹陥部６の溝部７ａ，７ｂに沿って、移動させて、出力端子４ａ〜４ｃを接続端子１２６の位置に対応させる。そして、バッテリー筐体２の底面部２ｂを凹部１２５の底面部１２５ａに接触するように、電池パック１をバッテリー収納部１２４の凹部１２５に押し込む。このとき、前述したように、スライド部材３を移動させて、出力端子４ａ〜４ｃを接続端子１２６の位置に対応させているため、電池パック１の出力端子４ａ〜４ｃと第１の携帯電話端末１０１の接続端子１２６が接触し電気的に接続される。
【００３４】
その結果、電池パック１と第１の携帯電話端末１０１が電気的に接続され、電池パック１の電力が出力端子４ａ〜４ｃから接続端子１２６を経て第１の携帯電話端末１０１に供給される。これにより、第１の携帯電話端末１０１の操作が可能となる。
【００３５】
図７は、前述した電池パック１を携帯用電源として用いて好適な電子機器の他の具体例を示すものである。図７に示す電子機器は、前述した第１の携帯電話端末と異なる構成を有する第２の携帯電話端末２０１であり、バッテリーカバーを取り外した状態を示している。この第２の携帯電話端末２０１は、前述した第１の携帯電話端末１０１と同様に、連結部を介して２つの筐体を折りたたみ可能に構成した、いわゆる折りたたみ式携帯電話端末である。この第２の携帯電話端末２０１と前述した第１の携帯電話端末とは、第１筐体２０２及び第２筐体２０３の形状や、メインカメラ部２２１、フラッシュ部２２２及びスピーカ２２３等の位置が異なっている。
【００３６】
また、図７に示すように、第２の携帯電話端末２０１の第２筐体２０３の背面２０３ｂには、前述した第１の携帯電話端末１０１と同様にバッテリー収納部１２４が設けられている。ここで、第２の携帯電話端末２０１のバッテリー収納部１２４は、接続端子１２６の位置が異なる点を除いて、前述した第１の携帯電話端末１０１のバッテリー収納部１２４と同様であるため、同一の符号を付し、重複した説明を省略する。
【００３７】
この第２の携帯電話端末２０１のバッテリー収納部１２４における接続端子１２６は、左側面部１２５ｄの上面部１２５ｂ側に配置されている。そのため、第２の携帯電話端末２０１に電池パック１を装着する際には、電池パック１の３つの出力端子４ａ〜４ｃを第２の携帯電話端末２０１の接続端子１２６に対応する位置に移動させる。即ち、スライド部材３を凹陥部６の溝部７ａ，７ｂに沿って、前述した第１の携帯電話端末１０１の場合とは反対側に移動させて、出力端子４ａ〜４ｃを接続端子１２６の位置に対応させる。
【００３８】
そして、前述した第１の携帯電話端末１０１の場合と同様に、バッテリー筐体２の底面部２ｂを凹部１２５の底面部１２５ａに接触するように、電池パック１をバッテリー収納部１２４の凹部１２５に押し込む。このとき、前述したように、スライド部材３を移動させて、出力端子４ａ〜４ｃを接続端子１２６の位置に対応させているため、電池パック１の出力端子４ａ〜４ｃと第１の携帯電話端末１０１の接続端子１２６が接触し電気的に接続される。これにより、電池パック１を第２の携帯電話端末２０１に装着することができる。
【００３９】
このように、本発明の電池パック１によれば、第１の携帯電話端末１０１や第２の携帯電話端末２０１のような、接続端子の位置が異なる複数の電子機器に対して、スライド部材を移動させることによって、それぞれの電子機器に装着することができる。これにより、電池パックの共通化を図ることができ、汎用性を向上させることができる。
【００４０】
図８は、本発明の電池パックの第２の実施の形態を示すものである。この電池パック２０は、第１の実施の形態の電池パック１と同様な構成を有しており、異なるところは、バッテリー筐体２に係合受部２１を設け、スライド部材３に係合部２２を設けた点である。
【００４１】
図８に示すように、本実施の形態における電池パック２０は、凹陥部６の底面部２ｃ側の側壁に長手方向に沿って略等間隔に配置された３つの係合受部２１を設けている。３つの係合受部２１は、略半円状に凹んだ凹部として形成されている。そして、スライド部材３の下面部３ｆには、係合部２１に係合離脱可能な係合部２２を設けている。係合部２２は、スライド部材３の正面部３ａから見て略半円状に突出した突起として形成されている。
【００４２】
その他の構成は、前記第１の実施の形態の電池パック１と同様であるため、同一符号を付して重複した説明を省略する。このような、構成を有する電池パック２０によっても、前述した第１の実施の形態にかかる電池パック１と同様の効果を得ることができる。なお、この実施の形態に係る電池パック２０によれば、係合受部を係合部と係合させることにより、スライド部材を所定の位置でバッテリー筐体２に固定することができる。
【００４３】
なお、この実施の形態では、係合受部２１の数を３つ設けた例を説明したが、これに限定されるものではなく、例えば、係合受部２１の数を２つ或いは４つ以上を設けてよい。また、係合受部２１を略半円状の凹部、係合部２２を略半円状の突起として構成した例を説明したが、これに限定されるものではない。例えば、係合受部２１を凸部とし係合部２２を係合受部２１の凸部の形状に対応した形状の窪みとして構成してもよい。更に、係合受部２１を平目状ローレットとして形成し、係合部２２をその断面形状が三角形状の突起として形成してもよい。
【００４４】
図９は、本発明の電池パックの第３の実施の形態を示すものである。この電池パック３０は、第１の実施の形態の電池パック１と同様な構成を有しており、異なるところは、バッテリー筐体２の底面部２ｃに凹陥部６を設けた点である。その他の構成は、前記第１の実施の形態の電池パック１と同様であるため、同一符号を付して重複した説明を省略する。このような、構成を有する電池パック３０によっても、前述した第１の実施の形態にかかる電池パック１０と同様の効果を得ることができる。なお、この実施の形態に係る電池パック３０によれば、電子機器の接続端子１２６が、バッテリー収納部１２４の底面部１２５ａに設けられている際に有効である。
【００４５】
以上説明してきたように、本発明の電池パックによれば、スライド部材を移動させることにより出力端子の位置をバッテリー収納部での接続端子の位置に対応させることができる。その結果、接続端子の位置が異なる複数の電子機器（例えば、携帯電話端末）であっても、電池パックを装着させることができる。これにより、電池パックの共通化を図ることができ、汎用性を向上させることができる。
【００４６】
また、筐体側端子部と接触する接続部に弾性を持たせている。これにより、筐体側端子部と接続部を確実に接触させて、接触不良等の不具合を防止することができると共に、溝部と係合片のガタツキを防止又は抑制することができ、スライド部材をスムーズに移動させることができる。
【００４７】
尚、本発明は前述しかつ図面に示した実施の形態に限定されるものではなく、その要旨を逸脱しない範囲内で種々の変形実施が可能である。例えば、前記実施の形態では、電池パックをリチウムイオン二次電池として説明したが、これに限定されるものではなく、例えばニッケル・水素蓄電池やその他各種の二次電池でもよい。
【００４８】
また、前記実施の形態では、電池パックが着脱可能に装着される電子機器の一具体例として携帯電話端末に適用した例について説明したが、デジタルスチルカメラ、パーソナルコンピュータ、電子辞書、ＤＶＤプレーヤその他各種の電子機器に適用できるものである。
【図面の簡単な説明】
【００４９】
【図１】本発明の電池パックの第１の実施の形態を示す斜視図である。
【図２】本発明の電池パックの第１の実施の形態に係るスライド部材を示すものであり、図２Ａは正面側から見た斜視図、図２Ｂは背面側から見た斜視図である。
【図３】本発明の電池パックの第１の実施の形態に係るスライド部材を示す上面図である。
【図４】本発明の電池パックの第１の実施の形態を示す断面図である。
【図５】本発明の電池パックが着脱可能に装着される電子機器の一具体例に係る携帯電話を開いた状態で正面側から見た斜視図である。
【図６】本発明の電池パックが着脱可能に装着される電子機器の一具体例に係る携帯電話端末のバッテリーカバーを外して閉じた状態を背面側から見た斜視図である。
【図７】本発明の電池パックが着脱可能に装着される電子機器の他の具体例に係る携帯電話端末においてバッテリーカバーを外して閉じた状態を背面側から見た斜視図である。
【図８】本発明の電池パックの第２の実施の形態を示す斜視図である。
【図９】本発明の電池パックの第３の実施の形態を示す斜視図である。
【符号の説明】
【００５０】
１，２０，３０…電池パック、  ２…バッテリー筐体、  ３…スライド部材、  ４ａ，４ｂ，４ｃ…出力端子、  ６…凹陥部、  ７ａ，７ｂ…溝部、  ８ａ，８ｂ，８ｃ…筐体側端子、  ９ａ，９ｂ…係合片、  １１ａ，１１ｂ，１１ｃ…接続部、  ２１…係合受部、  ２２…係合部、  １０１，２０１…携帯電話端末（電子機器）
【図１】
2008300334.tif 000003
【図２】
2008300334.tif 000004
【図３】
2008300334.tif 000005
【図４】
2008300334.tif 000006
【図５】
2008300334.tif 000007
【図６】
2008300334.tif 000008
【図７】
2008300334.tif 000009
【図８】
2008300334.tif 000010
【図９】
2008300334.tif 000011